(57)【要約】【課題】作業する際に、実験等の記録内容のような情報の内容を読み取って、情報の内容を簡単にデータとして残すことができる処理装置を提供する。【解決手段】処理装置としてのヒュームフード１（１Ａ，１Ｂ，１Ｃ）は、作業空間２０と作業空間２０に通じる開口部としての前面開口部４を有する本体部２と、本体部２に設けられて本体部２の前面開口部４を開閉する開閉扉としての可動ガラス扉５と、可動ガラス扉５との相対的な移動により、可動ガラス扉５において作業者により例えば書かれた情報の内容ＩＦを読み取る情報読み取り部５０を備える。【選択図】図１
2020037077.tif 000002
【特許請求の範囲】
【請求項１】
作業空間と前記作業空間に通じる開口部を有する本体部と、
前記本体部に設けられて前記本体部の前記開口部を開閉する開閉扉と、
前記開閉扉との相対的な移動により、前記開閉扉にある情報の内容を読み取る情報読み取り部と、を備えることを特徴とする処理装置。
【請求項２】
前記情報読み取り部は前記本体部に固定され、前記開閉扉を移動させて前記開口部を開ける際に、前記情報読み取り部と前記開閉扉との相対的な移動により、前記情報読み取り部が、前記開閉扉にある前記情報の内容を読み取ることを特徴とする請求項１に記載の処理装置。
【請求項３】
前記情報読み取り部を、前記本体部に対して移動可能にする移動操作部を備え、
前記移動操作部は、前記情報読み取り部を、前記本体部において移動して前記情報読み取り部と前記開閉扉との前記相対的な移動を発生させることにより、前記情報読み取り部が、前記開閉扉にある前記情報の内容を読み取ることを特徴とする請求項１に記載の処理装置。
【請求項４】
前記移動操作部は、前記本体部において前記情報読み取り部を下降または上昇することにより、前記情報読み取り部と前記開閉扉との前記相対的な移動を発生させることを特徴とする請求項３に記載の処理装置。
【請求項５】
前記移動操作部は、前記本体部において前記情報読み取り部を横方向に移動することにより、前記情報読み取り部と前記開閉扉との前記相対的な移動を発生させることを特徴とする請求項３に記載の処理装置。
【発明の詳細な説明】
【技術分野】
【０００１】
本発明は、例えば作業空間を用いて実験等の作業を行うヒュームフード等の処理装置に関する。
【背景技術】
【０００２】
特許文献１には、スキャナ付のホワイトボードが開示されている。ホワイトボートに書かれた内容は、例えばスキャナを移動することにより、読み込むことができる。
【先行技術文献】
【特許文献】
【０００３】
【特許文献１】特許第５１３０１３６号公報
【発明の概要】
【発明が解決しようとする課題】
【０００４】
ところで、作業者が、例えばヒュームフード等の処理装置を用いて、被処理物に所定の実験等の作業を行う場合には、実験等の作業上必要となる情報の内容や、作業上得られた情報の内容を書き残したいことがある。このような実験等の作業上必要となる情報の内容や、作業上得られた情報の内容は、別の机の上に置いてある紙に書いて残したり、あるいは処理装置の空いている枠部分に対して、直接ペンで走り書きをして残すしかない。
【０００５】
このため、書き残した情報の内容は、作業者が作業の後に、コンピュータ等に入力してデジタル情報にする必要があるので、入力作業が面倒である。
【０００６】
本発明は、上記に鑑みてなされたもので、その目的とするところは、作業する際に、実験等の記録内容のような情報の内容を読み取って、情報の内容を簡単にデータとして残すことができる処理装置を提供することにある。
【課題を解決するための手段】
【０００７】
上記課題を達成するため、請求項１に記載の処理装置は、作業空間と前記作業空間に通じる開口部を有する本体部と、前記本体部に設けられて前記本体部の前記開口部を開閉する開閉扉と、前記開閉扉との相対的な移動により、前記開閉扉にある情報の内容を読み取る情報読み取り部と、を備えることを特徴とする。
【０００８】
請求項１に記載の処理装置では、情報読み取り部は、開閉扉との相対的な移動により、開閉扉にある情報の内容を読み取るので、作業する際に、開閉扉にある実験等の記録内容のような情報の内容を読み取って、情報の内容を簡単にデータとして残すことができる。
【０００９】
請求項２に記載の処理装置では、前記情報読み取り部は前記本体部に固定され、前記開閉扉を移動させて前記開口部を開ける際に、前記情報読み取り部と前記開閉扉との相対的な移動により、前記情報読み取り部が、前記開閉扉にある前記情報の内容を読み取ることを特徴とする。
【００１０】
請求項２に記載の処理装置では、作業者が開閉扉を移動させて情報読み取り部と開閉扉との相対的な移動をするだけで、開閉扉にある情報の内容を読み取って情報の内容を簡単にデータとして残すことができる。
【００１１】
請求項３に記載の処理装置では、前記情報読み取り部を、前記本体部に対して移動可能にする移動操作部を備え、前記移動操作部は、前記情報読み取り部を、前記本体部において移動して前記情報読み取り部と前記開閉扉との前記相対的な移動を発生させることにより、前記情報読み取り部が、前記開閉扉にある前記情報の内容を読み取ることを特徴とする。
【００１２】
請求項３に記載の処理装置では、移動操作部は、情報読み取り部を、本体部において移動して情報読み取り部と開閉扉との相対的な移動を発生させることにより、開閉扉にある情報の内容を読み取って情報の内容を簡単にデータとして残すことができる。しかも、開閉扉は、開口部を開けないで済むので、作業空間内の雰囲気を保つことができる。
【００１３】
請求項４に記載の処理装置では、前記移動操作部は、前記本体部において前記情報読み取り部を下降または上昇することにより、前記情報読み取り部と前記開閉扉との前記相対的な移動を発生させることを特徴とする。
【００１４】
請求項４に記載の処理装置では、移動操作部は、本体部において情報読み取り部を下降または上昇するだけで、開閉扉にある情報の内容を読み取って情報の内容を簡単にデータとして残すことができる。
【００１５】
請求項５に記載の処理装置では、前記移動操作部は、前記本体部において前記情報読み取り部を横方向に移動することにより、前記情報読み取り部と前記開閉扉との前記相対的な移動を発生させることを特徴とする。
【００１６】
請求項５に記載の処理装置では、移動操作部は、本体部において情報読み取り部を横方向に移動するだけで、開閉扉にある情報の内容を読み取って情報の内容を簡単にデータとして残すことができる。
【発明の効果】
【００１７】
本発明によれば、作業する際に、実験等の記録内容のような情報の内容を読み取って、情報の内容を簡単にデータとして残すことができる処理装置を提供できる。
【図面の簡単な説明】
【００１８】
【図１】本発明の処理装置の好ましい第１実施形態であるヒュームフードを示す正面図である。
【図２】図１に示すヒュームフードにおける内部構造例を示す縦方向の模式図である。
【図３】ヒュームフードの電気的な構成例と示すブロック図である。
【図４】情報読み取り部の光学部の構造例を示す斜視図である。
【図５】情報読み取り部の光学部の別の構造例を示す斜視図である。
【図６】本発明の第２実施形態の処理装置としてのヒュームフードを示す正面図である。
【図７】図６の示すヒュームフードの電気的な構成例と示すブロック図である。
【図８】本発明の第３実施形態の処理装置としてのヒュームフードを示す正面図である。
【図９】本発明の第４実施形態の処理装置としてのヒュームフードを示す正面図である。
【発明を実施するための形態】
【００１９】
以下、図面を用いて、本発明を実施するための形態(以下、実施形態と称する)を説明する。
【００２０】
（第１実施形態）
図１は、本発明の処理装置の好ましい第１実施形態であるヒュームフード１を示す正面図である。図２は、図１に示すヒュームフード１における内部構造例を示す縦方向の模式図である。このヒュームフード１は、処理装置の一例である。
【００２１】
本発明の処理装置の実施形態であるヒュームフード１では、作業者が、例えば化学実験等の作業が終了して、可動ガラス扉５をＺ１方向に上げて、情報読み取り部５０と可動ガラス扉５との相対的な移動を発生させる。これにより、情報読み取り部５０が、可動ガラス扉５に作業者が作業中に書いた例えば実験等の記載内容のような情報の内容ＩＦを、好ましくは光学的に非接触で読み取ることができるようになっている。
【００２２】
図１と図２に示すヒュームフード１は、研究者や実験者等の作業者が、被処理物としての例えば微生物等の試料の無菌操作作業や各種の化学実験作業等、器具類を用いて実験や処理作業を行うために用いられる。
【００２３】
ヒュームフード１は、被処理物を外部に漏れないように封じ込めながら処理をするために、箱状の囲い部分である本体部２を有する。この本体部２はドラフト庫内１９を有する。ドラフト庫内１９の内部には、広い作業空間２０が確保されている。被処理物を内部の作業空間２０において処理する際に、作業者が被処理物の影響を受けないように、ドラフト庫内１９は、作業空間２０の雰囲気を外部から隔離する構造を有している。
【００２４】
このヒュームフード１は、作業者を有害物質から保護することを目的とした局所排気装置である。作業空間２０内における風量は好ましくは可変でき、作業空間２０内は、標準風量領域だけでなく、好ましくは低風量領域においても、スムーズな換気を実現して、危険物質や有害物質の封じ込めることができる封じ込め性能を有している。このため、有害な雰囲気が、作業者の側に漏洩しない。
【００２５】
特に、低風量型のヒュームフード１は、エネルギーコスト低減を目的として、少ないランニングコストで運転ができ、低風量型のヒュームフード１の排気風量は、一般的なヒュームフードの排気風量に比較して、例えば４０〜６０％低減できる。ヒュームフード１内の作業空間２０内に低風量ドラフトで空気を送ることで、通常の風量のドラフトを作業空間２０内に送る場合に比べて、ヒュームフード１の作動時の省エネルギー化（エコ化）や、低騒音化を図ることができる。
【００２６】
次に、図１と図２を参照して、処理装置の好ましい実施形態としてのヒュームフード１の構造例を、さらに説明する。
【００２７】
図１と図２に示すヒュームフード１の本体部２は、長方形状の前面部３を有している。この前面部３には、長方形状の前面開口部（開口部の一例）４が設けられている。
【００２８】
この前面開口部４には、開閉扉としての例えば長方形状の可動ガラス扉５と、例えば長方形状の固定ガラス部６が、設けられている。この可動ガラス扉５と固定ガラス部６は、前面開口部４内が見えるように透明板もしくは透光板であり、好ましくは強化ガラスを用いている。固定ガラス部６の面積は、可動ガラス扉５の面積に比べて小さく、固定ガラス部６は、本体部２に対してはめ込んで固定されていることで、前面開口部４の上部領域を閉じている。
【００２９】
図１と図２に示すように、可動ガラス扉５が最も下げられていて、前面開口部４のかなりの部分が閉鎖されている状態でも、可動ガラス扉５の上縁部分７は、固定ガラス部６の下縁部分８と重なっていることで、可動ガラス扉５と固定ガラス部６との間の接合部分の隙間を無くしている。可動ガラス扉５が最も下げられている状態では、前面開口部４における空気通路１７の開口面積は最も小さくなる。
【００３０】
図１と図２に示すように、本体部２は、前面部３と、左右の側面１２，１３と、背面部１４と、天井面１５を有している。図１に示すように、可動ガラス扉５の左右の縁部分５Ａ，５Ｂは、本体部２の前面部３のガラス案内部１１Ａ，１１Ｂにおいて、Ｚ方向（上下方向）に沿って、移動可能にはめ込まれている。可動ガラス扉５の下縁部分には、作業者が手で持って可動ガラス扉５を上げ下げするための把持部５Ｃが、設けられている。
【００３１】
図２に示すように、可動ガラス扉５の上縁部分７には、吊線材９の一端部が固定されている。この吊線材９は、滑車９Ａ，９Ｂにかかっており、吊線材９の他端部は、バランスウエイト９Ｃに固定されている。これにより、作業者が、この可動ガラス扉５の把持部５Ｃを持って、可動ガラス扉５を、バランスウエイト９Ｃとの釣り合いにより、スムーズにしかも容易にＺ方向に上下移動させることができる。従って、作業者は、作業内容に応じて、可動ガラス扉５を、手動でＺ１方向に上げることで、図１に示す前面開口部４の空気通路１７の開口面積を任意に大きく拡げることができる。
【００３２】
図１と図２に示すように、本体部２の前面部３には、情報読み取り部５０が配置されている。この情報読み取り部５０は、好ましくは、ガラス案内部１１Ａ，１１Ｂに対して、Ｘ方向に沿って水平に固定されている。情報読み取り部５０の一端部は、一方のガラス案内部１１Ａに固定され、情報読み取り部５０の他端部は、他方のガラス案内部１１Ｂに固定されている。情報読み取り部５０は、可動ガラス扉５の上縁部分７の付近において、本体部２に固定されている。
【００３３】
情報読み取り部５０は、可動ガラス扉５の表面側に例えば書かれた情報の内容を非接触で好ましくは光学的に読み取るためのイメージスキャナ装置である。作業者が可動ガラス扉５の把持部５Ｃを持って、可動ガラス扉５をＺ１方向に持ち上げる際に、情報読み取り部５０は、可動ガラス扉５の表面において既に記載されている情報の内容ＩＦ、例えば実験等の記録内容を、好ましくは光学的に非接触で読み取ることができる。
【００３４】
この情報読み取り部５０は、例えば作業者がヒュームフード１を用いて被処理物の処理を行っている際に、可動ガラス扉５の表面に、例えばペンで書き残した例えば実験等の記録内容の文字やイラスト等の情報の内容ＩＦを、直接光学的に非接触で直接読み取る。そして、情報読み取り部５０は、読み取った情報の内容ＩＦをデジタルの画像データとして取り込んで、この画像データをコンピュータに転送する装置である。情報読み取り部５０の構造例は、後で説明する。
【００３５】
ヒュームフード１の説明に戻ると、図１に示すように、ヒュームフード１の本体部２は、例えば浄化装置１６に接続されている。この浄化装置１６は、例えば排気用のファンと、空気から微粒子を除去する例えばＨＥＰＡフィルタ（高性能フィルタ）等を備え、作業空間２０内の空気を清浄化して排気し続けるようになっている。
【００３６】
これにより、例えば低風量の空気は、図２に示す前面開口部４の下部に形成されている空気通路１７を通じて、本体部２の内部の作業空間２０に入る。そして、作業空間２０内の空気は、作業空間２０内にある封じ込めるべき物質を含む雰囲気とともに、作業空間２０の背面側の排気孔２０Ｈを通じて背部通路２０Ｆに入り、背部通路２０Ｆから浄化装置１６のＨＥＰＡフィルタに通してろ過された後に、外部に排気されるようになっている。
【００３７】
図１と図２に示すように、本体部２のドラフト庫内１９は、作業空間２０を有している。この作業空間２０は作業面２１を有している。ドラフト庫内１９の作業空間２０は、本体部２の左右幅方向（Ｘ方向）に沿って形成され、しかも図２に示すように、本体部２の前後幅方向（Ｙ方向）に沿って形成され、Ｚ方向に沿って形成されているほぼ直方体形状の閉鎖空間である。図２に示すように、作業空間２０の作業面２１は、作業空間２０の底部を形成している。
【００３８】
この作業面２１の高さ位置は、作業者が作業用の椅子に座った状態で、前面開口部４の空気通路１７を通じて、手を入れて、作業空間２０内で所定の作業ができるように設定されている。また、本体部２の下部には、空間部ＳＰが設けられている。この空間部ＳＰには、作業用の椅子に座った作業者の膝を入れることができる。本体部２には、電源コンセント１０２等が設けられている。
【００３９】
次に、図１から図３を参照して、上述した情報読み取り部５０について、さらに説明する。図３は、ヒュームフード１の電気的な構成例と示すブロック図である。
【００４０】
図３に示すように、ヒュームフード１は、制御部１００を備えている。制御部１００は、図１に示す浄化装置１６のファンモータ１６Ｆに電気的に接続されており、このファンモータ１６Ｆを駆動制御する。制御部１００は、電源スイッチ１０１や電源コンセント１０２に電気的に接続されている。
【００４１】
制御部１００は、情報管理用のコンピュータ１１０に電気的に接続されている。コンピュータ１１０は、制御部１００側に各種の情報の内容を供給したり、制御部１００側からの情報の内容等を記憶することができる。その他、制御部１００は、情報記憶媒体１２０を接続する情報記憶媒体接続部１３０や、スピーカ等の音声発生部１４０に電気的に接続されている。情報記憶媒体１２０としては、例えばＵＳＢ（ユニバーサル・シリアル・バス）や、ＳＤメモリーカード等であるが、特に限定されない。
【００４２】
図３に示すように、可動ガラス扉５の把持部５Ｃの付近には、可動ガラス扉の上昇動作開始検出センサ１５０が配置されている。この可動ガラス扉の上昇動作開始検出センサ１５０は、作業者が手動で可動ガラス扉５をＺ１方向に持ち上げる動作を開始するタイミングを検出する。この可動ガラス扉の上昇動作開始検出センサ１５０は、例えば光学式で可動ガラス扉５の上昇開始を検出して、検出したことは制御部１００に通知する。
【００４３】
なお、開閉扉である可動ガラス扉５は、サッシとも呼ぶことができ、ヒュームフード１は、情報読み取り部５０が配置されたサッシスキャン機能付きヒュームフードとも呼ぶことができる。
【００４４】
図１から図３に示す情報読み取り部５０は、すでに説明したように、可動ガラス扉５の上縁部分７の付近において、本体部２に固定されており、この情報読み取り部５０は、可動ガラス扉５をＺ１方向に持ち上げると、可動ガラス扉５の表面に既に記載されている例えば実験等の記録内容のような情報の内容ＩＦを、情報読み取り部５０と可動ガラス扉５との相対的な移動（走査）により、好ましくは光学的に非接触で読み取るようになっている。
【００４５】
図１と図３に示すように、情報読み取り部５０は、本体５１と、この本体５１の裏面に配置された光学部５２を有している。本体５１は、Ｘ方向（水平方向）に沿って配置されたケースであり、光学部５２は、本体５１の裏面において、可動ガラス扉５の表面５Ｆに対面するように、Ｘ方向に沿って取り付けられている。
【００４６】
情報読み取り部５０の光学部５２の構造例は、図４と図５に示している。図４と図５は、それぞれ情報読み取り部５０の光学部５２の異なる構造例を示す斜視図である。
【００４７】
図４に示す光学部５２の構造例では、本体５１に収容されている光学部５２は、光源５３と、センサ部５４を有している。光源５３とセンサ部５４は、Ｘ方向に沿って長尺上に形成されており、可動ガラス扉５の表面５Ｆに所定の距離をおいて対面している。
【００４８】
光源５３は、例えば複数のＬＥＤ（発光ダイオード）をＸ方向に配列させたＬＥＤアレイであり、センサ部５４は、例えば複数のＣＭＯＳ（相補型金属酸化膜半導体）イメージセンサのアレイであるが、特に限定されない。光源５３とセンサ部５４のＸ方向の長さは、可動ガラス扉５の表面５ＦのＸ方向の長さに対応している。
【００４９】
例えば、作業者が、可動ガラス扉５を手動でＺ１方向に持ち上げると、図３に示す可動ガラス扉の上昇動作開始検出センサ１５０は、例えば光学式で可動ガラス扉５の上昇開始を検出して、検出したことは制御部１００に通知する。
【００５０】
これにより、図３に示す制御部１００は、可動ガラス扉の上昇動作開始検出センサ１５０からの検出通知により、光源５３を点灯させる。図４に示す光源５３が発する光Ｌは、可動ガラス扉５の表面５Ｆに照射されて、戻り光Ｒとして反射される。戻り光Ｒは、可動ガラス扉５の表面５Ｆに、ペンで書き残した文字やイラスト等の例えば実験等の記載内容のような情報の内容ＩＦを含み、この戻り光Ｒはセンサ部５４で受光される。
【００５１】
センサ部５４は、ペンで書き残した文字やイラスト等の例えば実験等の記載内容のような情報の内容ＩＦを、制御部１００にデジタルの画像データとして取り込む。取り込んだこの画像データは、図３に示す制御部１００を介してコンピュータ１１０のメモリ１１０Ｍや、情報記憶媒体１２０に記憶される。
【００５２】
また、図５に示す情報読み取り部５０の光学部５２の別の構造例では、本体５１に収容されている光学部５２は、光源５３と、センサ部５５Ａを有している。光源５３は、Ｘ方向に沿って、可動ガラス扉５の表面５Ｆに所定の距離をおいて対面している。光源５３は、例えば複数のＬＥＤをＸ方向に配列させたＬＥＤアレイである。一方、センサ部５５Ａは、例えば１つのＣＭＯＳイメージセンサである。このセンサ部５５Ａは、例えばワイヤ５７に接続されている。モータ５６がワイヤ５７をＸ２方向に移動させることで、センサ部５５Ａは、光源５３に対面しながらＸ方向に沿ってスライドされるようになっている。
【００５３】
例えば、作業者が、手動で可動ガラス扉５をＺ１方向に持ち上げると、図３に示す可動ガラス扉の上昇動作開始検出センサ１５０は、例えば光学式で可動ガラス扉５の上昇開始を検出して、検出したことは制御部１００に通知する。
【００５４】
これにより、制御部１００は、可動ガラス扉の上昇動作開始検出センサ１５０からの検出の通知により、光源５３を点灯させる。光源５３が発する光Ｌは、可動ガラス扉５の表面５Ｆに照射されて、戻り光Ｒとして反射される。戻り光Ｒは、可動ガラス扉５の表面５Ｆに、ペンで書き残した文字やイラスト等の例えば実験等の記載内容のような情報の内容ＩＦを含み、この戻り光ＲはＸ方向に高速で移動するセンサ部５５Ａで受光される。
【００５５】
センサ部５５Ａは、ペンで書き残した文字やイラスト等の例えば実験等の記載内容のような情報の内容ＩＦを、制御部１００にデジタルの画像データとして取り込む。取り込んだこの画像データは、図３に示す制御部１００を介してコンピュータ１１０のメモリ１１０Ｍや、情報記憶媒体１２０に記憶される。
【００５６】
図３に示す可動ガラス扉の上昇動作開始検出センサ１５０は、可動ガラス扉５の上昇開始を検出したことを制御部１００に通知すると、制御部１００は、光源５３を点灯させるので、それ以外では光源５３は消灯している。このため、光源５３は常時点灯していないので、ヒュームフード１の省エネルギー化を図ることができる。
【００５７】
なお、図３に示す音声発生部１４０は、制御部１００の指令により、例えば情報読み取り部５０が、可動ガラス扉５の表面に既に記載されている例えば実験等の記載内容のような情報の内容ＩＦを、光学的に読み取り開始する際と、読み取り完了の際に、それぞれ「読み取り開始します」と、「読み取り完了しました」の音声コメントを、作業者に発することができる。これにより、作業者は、情報の内容ＩＦが読み取れたことを、音声で確認することができる。
【００５８】
このように、ヒュームフード１を用いて被処理物の処理作業をしている際に、作業者が可動ガラス扉５を利用して可動ガラス扉５に、例えば実験等の記載内容のような情報の内容ＩＦをペンで書き込むことができる。
【００５９】
そして、作業者が、例えば作業が終了して、可動ガラス扉５をＺ１方向に上げて、情報読み取り部５０と可動ガラス扉５との相対的な移動を発生させることで、情報読み取り部５０が例えば実験等の記載内容のような情報の内容ＩＦを、好ましくは光学的に非接触で読み取ることができる。
【００６０】
このため、作業者が、作業を行っている間あるいは、作業を行った後に、例えば実験等の記載内容のような情報の内容ＩＦは、制御部１００にデジタルの画像データとして取り込んで、この画像データは、図３に示す制御部１００を介してコンピュータ１１０のメモリ１１０Ｍや、情報記憶媒体１２０に簡単に残すことができる。
【００６１】
次に、本発明の他の実施形態を説明するが、他の実施形態の個所と、上述した第１実施形態の個所が同様の構成要素である場合には、同じ符号を付けて、その説明を省略する。
【００６２】
（第２実施形態）
図６と図７を参照して、本発明の第２実施形態を説明する。
【００６３】
図６は、本発明の第２実施形態の処理装置としてのヒュームフード１Ａを示す正面図であり、図７は、図６の示すヒュームフード１Ａの電気的な構成例と示すブロック図である。
【００６４】
図６と図７に示すヒュームフード１Ａが、図１から図５に示す第１実施形態のヒュームフード１と異なるのは、情報読み取り部２５０の構造である。
【００６５】
図１から図３に示す情報読み取り部５０は、ヒュームフード１の本体部２に対して直接固定されている。このため、作業者が可動ガラス扉５を利用して可動ガラス扉５に書いた例えば実験等の記載内容のような情報の内容ＩＦを、作業者が可動ガラス扉５をＺ１方向に持ち上げることで、情報読み取り部５０と可動ガラス扉５との相対的な移動を発生させて、情報読み取り部５０が好ましくは光学的に非接触で読み取っている。
【００６６】
これに対して、図６と図７に示すこの情報読み取り部２５０は、ヒュームフード１Ａの本体部２に対して、上下方向であるＺ方向に沿って自動的に移動可能になっている。本体部２の可動ガラス扉５は、Ｚ１方向には上げずに前面開口部４をほぼ閉めたままで、情報読み取り部２５０を、Ｚ２方向に下げて走査させることで、情報読み取り部２５０と可動ガラス扉５との相対的な移動を発生させる。このため、情報読み取り部２５０が、可動ガラス扉５に既に記載された例えば実験等の記載内容のような情報の内容ＩＦを、好ましくは光学的に非接触で読み取るようになっている。
【００６７】
図６と図７に示すように、情報読み取り部２５０の本体５１と光学部５２の構造は、図１から図３に示す情報読み取り部５０の本体５１と光学部５２の構造と、実質的に同じである。情報読み取り部２５０は、本体５１と、この本体５１の裏面に配置された光学部５２を有している。本体５１は、Ｘ方向に沿って配置されたケースであり、光学部５２は、本体５１の裏面において、可動ガラス扉５の表面５Ｆに対面するように、Ｘ方向に沿って取り付けられている。
【００６８】
情報読み取り部２５０は、左右に位置された移動操作部２６０を備える。移動操作部２６０は、情報読み取り部２５０を、上側の待機位置Ｐ１から下側の読み取り終了位置Ｐ２まで、Ｚ２方向に移動して走査させることで、情報読み取り部２５０と、閉めたままの可動ガラス扉５との相対的な移動を生じさせる。
【００６９】
図７に示すように、左右の移動操作部２６０，２６０は、２つの送りねじ２６１，２６２と、２つの電動モータ２７１，２７２と、２つのナット２８１，２８２を有している。送りねじ２６１，２６２は、本体部２の左右の側面１２，１３にそれぞれ平行に配置されている。電動モータ２７１，２７２は、左右の側面１２，１３にそれぞれ固定されており、電動モータ２７１，２７２の出力軸は、送りねじ２６１，２６２の一端部にそれぞれ連結されている。送りねじ２６１，２６２の他端部は、受け部２９１，２９２に回転可能に保持されている。受け部２９１，２９２は、本体部２の左右の側面１２，１３にそれぞれ固定されている。
【００７０】
情報読み取り部２５０の本体５１には、２つのナット２８１，２８２が内蔵されている。これらのナット２８１，２８２は、送りねじ２６１，２６２にそれぞれかみ合っている。
【００７１】
これにより、電動モータ２７１，２７２が制御部１００の指令により駆動されて、送りねじ２６１，２６２は、同じ方向に回転することで、移動操作部２６０，２６０は、情報読み取り部２５０を、待機位置Ｐ１から読み取り終了位置Ｐ２まで、Ｚ２方向に同期して下降移動させることで、情報読み取り部２５０と可動ガラス扉５との相対的な移動による走査を行うことができる。
【００７２】
情報読み取り部２５０が、待機位置Ｐ１から読み取り終了位置Ｐ２まで、Ｚ２方向に同期して下降移動することで、可動ガラス扉５に書いた情報等の内容ＩＦを、好ましくは光学的に非接触で読み取って、制御部１００にデジタルの画像データとして取り込む。この画像データは、図３に示す制御部１００を介してコンピュータ１１０のメモリ１１０Ｍや、情報記憶媒体１２０に簡単に残すことができる。
【００７３】
しかも、可動ガラス扉５に書いた情報等の内容ＩＦを読み取る際には、移動操作部２６０は、情報読み取り部５０を、待機位置Ｐ１から読み取り終了位置Ｐ２まで、Ｚ２方向に下降移動させるので、開閉扉としての可動ガラス扉５は、手動で持ち上げる必要がないので、前面開口部４を開けないで済む。このため、前面開口部４はほぼ閉じたままであるので、本体部２の作業空間２０内の雰囲気を保つことができる。
【００７４】
（第３実施形態）
次に、図８を参照して、本発明の第３実施形態を説明する。
【００７５】
図８は、本発明の第３実施形態の処理装置としてのヒュームフード１Ｂを示す正面図である。
【００７６】
図８に示すヒュームフード１Ｂが、図６と図７に示すヒュームフード１Ａと異なるのは、情報読み取り部２５０の待機位置Ｐ１が、本体部２において、可動ガラス扉５よりも下側に位置され、読み取り終了位置Ｐ２が、可動ガラス扉５の位置よりも上側に位置されていることである。
【００７７】
情報読み取り部２５０は、移動操作部２６０を備える。この移動操作部２６０は、情報読み取り部２５０を、待機位置Ｐ１から読み取り終了位置Ｐ２まで、Ｚ１方向に上げて移動させることで、情報読み取り部２５０と閉めたままの可動ガラス扉５との相対的な移動を生じさせる。
【００７８】
これにより、電動モータ２７１，２７２が制御部の指令により駆動されると、送りねじ２６１，２６２は、同じ方向に回転することで、移動操作部２６０は、情報読み取り部２５０を、待機位置Ｐ１から読み取り終了位置Ｐ２まで、Ｚ１方向に同期して上昇移動させることで走査して、情報読み取り部２５０と閉めたままの可動ガラス扉５との相対的な移動を行うことができる。
【００７９】
しかも、可動ガラス扉５に書いた情報等の内容ＩＦを読み取る際には、移動操作部２６０は、情報読み取り部２５０を、待機位置Ｐ１から読み取り終了位置Ｐ２まで、Ｚ１方向に上昇移動させるので、開閉扉としての可動ガラス扉５は、手動で持ち上げる必要がないので、前面開口部を開けないで済む。このため、前面開口部はほぼ閉じたままであるので、本体部２の作業空間２０内の雰囲気を保つことができる。
【００８０】
（第４実施形態）
次に、図９を参照して、本発明の第４実施形態を説明する。
【００８１】
図９は、本発明の第４実施形態の処理装置としてのヒュームフード１Ｃを示す正面図である。
【００８２】
図９に示すヒュームフード１Ｃが、図６と図７に示すヒュームフード１Ａと異なるのは、情報読み取り部２５０の待機位置Ｐ１が、例えば、本体部２において、可動ガラス扉５の左側に位置され、読み取り終了位置Ｐ２が、可動ガラス扉５の右側に位置されていることである。情報読み取り部２５０は、移動操作部２６０を備える。この移動操作部２６０は、情報読み取り部２５０を、待機位置Ｐ１から読み取り終了位置Ｐ２まで、Ｘ１方向に水平移動させることで走査して、情報読み取り部２５０と閉めたままの可動ガラス扉５との相対的な移動を生じさせる。
【００８３】
これにより、電動モータ２７１，２７２が制御部の指令により駆動されると、送りねじ２６１，２６２は、同じ方向に回転することで、移動操作部２６０は、情報読み取り部５０を、待機位置Ｐ１から読み取り終了位置Ｐ２まで、Ｘ１方向に横移動させることで走査して、情報読み取り部２５０と閉めたままの可動ガラス扉５との相対的な移動を行うことができる。
【００８４】
しかも、可動ガラス扉５に書いた情報等の内容ＩＦを読み取る際には、移動操作部２６０は、情報読み取り部２５０を、待機位置Ｐ１から読み取り終了位置Ｐ２まで、Ｘ１方向に横移動させるので、開閉扉としての可動ガラス扉５は、手動で持ち上げる必要がないので、前面開口部を開けないで済む。このため、前面開口部はほぼ閉じたままであるので、本体部２の作業空間２０内の雰囲気を保つことができる。
【００８５】
以上説明したように、本発明の実施形態の処理装置としてのヒュームフード１（１Ａ，１Ｂ，１Ｃ）は、作業空間２０と作業空間２０に通じる開口部としての前面開口部４を有する本体部２と、本体部２に設けられて本体部２の前面開口部４を開閉する開閉扉としての可動ガラス扉５と、可動ガラス扉５との相対的な移動により、例えば作業者により可動ガラス扉５に書かれた情報の内容ＩＦを読み取る情報読み取り部５０（２５０）を備える。
【００８６】
これにより、情報読み取り部５０（２５０）は、可動ガラス扉５との相対的な移動により、可動ガラス扉５にある情報の内容ＩＦを直接読み取ることができる。このため、作業者が作業する際に、情報読み取り部５０（２５０）は、例えば可動ガラス扉５に書かれた実験等の記録内容のような情報の内容ＩＦを読み取って、情報の内容ＩＦを簡単にデータとして残すことができる。
【００８７】
情報読み取り部５０は本体部２に固定され、可動ガラス扉５を移動させて前面開口部４を開ける際に、情報読み取り部５０と可動ガラス扉５との相対的な移動により、情報読み取り部５０が、可動ガラス扉５にある情報の内容ＩＦを読み取る。これにより、作業者が可動ガラス扉５を移動させて情報読み取り部５０と可動ガラス扉５との相対的な移動をするだけで、情報読み取り部５０は、例えば可動ガラス扉５に書かれた実験等の記録内容のような情報の内容ＩＦを読み取って、情報の内容ＩＦを簡単にデータとして残すことができる。
【００８８】
情報読み取り部２５０を、本体部２に対して移動可能にする移動操作部２６０を備え、移動操作部２６０は、情報読み取り部２５０を、本体部２において移動して情報読み取り部５０と可動ガラス扉５との相対的な移動を発生させることにより、情報読み取り部５０が、可動ガラス扉５にある情報の内容ＩＦを読み取る。これにより、移動操作部２６０は、情報読み取り部２５０を本体部２において移動して、情報読み取り部２５０と可動ガラス扉５との相対的な移動を発生させる。このため、情報読み取り部２５０は、例えば可動ガラス扉５に書かれた実験等の記録内容のような情報の内容ＩＦを読み取って、情報の内容ＩＦを簡単にデータとして残すことができる。しかも、可動ガラス扉５は、前面開口部４を開けないで済む。このため、前面開口部４は、作業空間２０内の雰囲気を保つことができる。
【００８９】
移動操作部２６０は、本体部２において情報読み取り部２５０を下降または上昇することにより、情報読み取り部２５０を、情報読み取り部２５０と可動ガラス扉５との相対的な移動を発生させる。これにより、移動操作部２６０は、本体部２において情報読み取り部２５０を下降または上昇するだけで、情報読み取り部２５０は、例えば可動ガラス扉５に書かれた実験等の記録内容のような情報の内容ＩＦを読み取って、情報の内容ＩＦを簡単にデータとして残すことができる。しかも、可動ガラス扉５は、前面開口部４を開けないで済む。このため、前面開口部４は、作業空間２０内の雰囲気を保つことができる。
【００９０】
移動操作部２６０は、本体部２において情報読み取り部２５０を横方向に移動することにより、情報読み取り部２５０を、情報読み取り部２５０と可動ガラス扉５との相対的な移動を発生させる。これにより、移動操作部２６０は、本体部２において情報読み取り部２５０を横方向に移動する。このため、情報読み取り部２５０は、例えば可動ガラス扉５に書かれた実験等の記録内容のような情報の内容ＩＦを読み取って、情報の内容ＩＦを簡単にデータとして残すことができる。しかも、可動ガラス扉５は、前面開口部４を開けないで済む。このため、前面開口部４は、作業空間２０内の雰囲気を保つことができる。
【００９１】
以上、実施形態を挙げて本発明を説明したが、各実施形態は一例であり、特許請求の範囲に記載される発明の範囲は、発明の要旨を逸脱しない範囲内で種々変更できるものである。
【００９２】
例えば、図６から図９に示すヒュームフード１Ａ，１Ｂ，１Ｃでは、２つの電動モータ２７１，２７２と、２つの送りねじ２６１，２６２を用いているが、例えば１つの電動モータ２７２と１つの送りねじ２６２は用いずに、例えば１つの送りねじ２６２は本体部５１をＺ１，Ｚ２方向に案内するための例えば棒状のガイドバーに代えてもよい。これにより、ヒュームフードの構造の簡素化とコストダウンが図れる。
【００９３】
本発明の処理装置の実施形態としては、低風量のヒューフードの他に、通常の風量のヒュームフードであってもよく、他の種類の封じ込め装置等の各種の機器であってもよい。本発明の実施形態の処理装置は、被処理物を処理するための各種の装置を含む。
【００９４】
本発明の処理装置は、上述したヒュームフードの他の種類の装置、例えばドラフトチャンバー、クリーンベンチ、安全キャビネット、そして局所排気装置等の各種の異なる構造、（例えば、風向、風量、陰圧、陽圧等の動作条件が異なる構造）の装置であっても構わない。
【符号の説明】
【００９５】
１      ヒュームフード（処理装置の一例）
２      本体部
３      前面部
４      前面開口部（開口部）
５      可動ガラス扉（開閉扉の例）
６      固定ガラス部
２０    作業空間
５０    情報読み取り部
５１    本体
５２    光学部
５３    光源
５４    センサ部
５５    センサ部
５０  情報読み取り部
２５０  情報読み取り部
２６０  移動操作部
【図１】
2020037077.tif 000003
【図２】
2020037077.tif 000004
【図３】
2020037077.tif 000005
【図４】
2020037077.tif 000006
【図５】
2020037077.tif 000007
【図６】
2020037077.tif 000008
【図７】
2020037077.tif 000009
【図８】
2020037077.tif 000010
【図９】
2020037077.tif 000011